(57)【要約】      （修正有）【課題】ワイヤーが捩じれることなく電気シリンダをモーチスロックに設置できる接続アダプタの提供。【解決手段】カムバー４とカムバー押出プレート５とカムバーリターンばね６とをねじ型接続金具に組み込んだねじ型接続金具アッセンブリＤ１をドア扉の既存の錠ケースの雌ねじ部分にねじ込み、ロックピン７とロックピンリターンばね８を接続プレート３に組み込んだ接続プレートアッセンブリＤ２を接続プレート固定ねじ９により電気シリンダ１に固定し、この電気シリンダに固定した接続プレートの下端部突起をねじ型接続金具の角穴に挿入し、ドライバーにより錠ケースにねじを締め込むことにより、ねじ込んだねじ型接続金具アッセンブリの回転止めと、カム押出プレートがねじにより押され、カムバーが円弧運動し、ロックピンを上昇させてねじ型接続金具の角穴に引掛かり、電気シリンダを固定して、回転止めと固定を一度に行う。【選択図】図１
2010144400.tif 000002
【特許請求の範囲】
【請求項１】
モ−タが電極を切り換えることによりモ−タシャフトを伸び縮みさせ、その伸縮作動にテ−ルピ−スが連動してデットボルトを作動させるドア扉錠作動用電気シリンダ用接続アダプタにおいて、カムバー４とカムバー押出プレート５とカムバーリターンばね６とをねじ型接続金具２に組み込んだねじ型接続金具アッセンブリＤ1 をドア扉の既存の錠ケースＣの雌ねじ部分Ｃ1 にねじ込み、ロックピン７とロックピンリターンばね８を接続プレート３に組み込んだ接続プレートアッセンブリＤ2 を接続プレート固定ねじ９により電気シリンダ１に固定し、この電気シリンダ１の固定した接続プレート３の下端部突起ａをねじ型接続金具２の角穴ｂ2 に挿入し、ドライバーＣ7 により錠ケースＣにねじＣ6 を締め込むことにより、ねじ込んだねじ型接続金具アッセンブリＤ1 の回転止めと、カム押出プレート５がねじＣ6 により押され、カムバー４が円弧運動し、ロックピン７を上昇させてねじ型接続金具２の角穴ｂ1 に引掛かり、電気シリンダ１を固定して、回転止めと固定を一度に行うことを特徴とするドア扉錠作動用電気シリンダ用の接続アダプタ。
【請求項２】
ねじ型接続金具アッセンブリＤ1 には、連動アダプタ１０をねじ型接続金具２の螺子切り筒段部２1 の背部２3 の穴２4 に通して、回転伝達するようにカム連動ギア１１をギア固定ねじ１２によって連動アダプタ１０に固定されていることを特徴とする請求項１に記載のドア扉用電気シリンダ扉錠用の接続アダプタ。
【請求項３】
ねじ型接続金具アッセンブリＤ1 は螺子切り筒段部２1 と二つの角穴ｂ1 、ｂ2 を備える筒部２2 との二段筒状のねじ型接続金具２と、螺子切り筒段部２1 の背部２3 の穴２4 にギア固定ねじ１２により固定されるカム連動ギア１１と、筒部２2 の二つの長溝ｃに挿入されるカムバー押出プレート５と、頭部６1 がねじ型接続金具２の内部の突き出し部に設置され且つ足先６2 がカムレバー４の溝部４1 に係合した状態にねじ型接続金具２の内部に組み込まれているカムバーリターンばね６と、カムバーリターンばね６の足先６2 が溝部４1 に係合した状態でねじ型接続金具２の内部に収容する左右対称形のカムバー４とを包含することを特徴とする請求項１に記載のドア扉用電気シリンダ扉錠用の接続アダプタ。
【発明の詳細な説明】
【技術分野】
【０００１】
この発明は、ドア扉を開閉する既存の錠のシリンダを取り外し、既存の錠に扉錠作動用電気シリンダを取り付けて、電気的信号で操作できる扉錠作動用電気シリンダに電気信号を受けるワイヤーを固定させている状態で錠ケースに取り付けできる接続アダプタに関する。
【背景技術】
【０００２】
ドア扉を開閉する既存の錠は、鍵を使用するものが一般的であり、鍵を持ち歩いて失くしたり、或いは錠の鍵穴に特殊工具やピッキング用具を入れて解錠するピッキングにあったりすることがあり、鍵穴のない錠をドア扉に設置すると、その設備等に費用のかかる工事を伴うことが多かった。しかしながら、最近には、適合鍵によらない不正解錠を防止する錠構造が提案されている（例えば、特許文献１を参照）が、これら錠は建築時にドア扉に設けるか、或いはドア扉を改築しなければならなかった。
【０００３】
前記のような状態に鑑みて、ドア扉を開閉する既存の錠のシリンダを取り外し、既存の錠に扉錠作動用電気シリンダ取り付けて、電気的信号で操作できる扉錠作動用電気シリンダを出願人が開発して不正解錠を防止する錠として広く用いられ、米国特許第７２３１７９号明細書（特許文献２）などとして多数の国で特許されている。
【０００４】
従来既存のモーチスロックでは、図１１に示されるように、錠ケースＣに雌ねじ部分Ｃ1 が設けられていて、シリンダＣ2 を取り付ける場合に、雄ねじ部分Ｃ3 を設けたシリンダＣ2 を回転させてねじ込んで行く構造であり、扉厚に応じてねじ込み量を変え、位置が決まったらドライバーＣ7 によりねじＣ6 を締め込み、ねじ込んだシリンダＣ2 の回転を止める構造である。上記米国特許第７２３１７９号明細書に記載された電気シリンダ１は、上記既存のモーチスロックのシリンダを取り外し、図１２に示されるように、上記モーチスロックと同様に取り付ける場合には、電気シリンダ１に取り付けられた雄ねじ部分Ｃ4 を設けた接続アダプタＣ5 を雌ねじ部分Ｃ1 に廻してねじ込んで取付ける。この場合には、電気シリンダ１は、電線配策上、ねじ込みによる取り付け取り外しが難しいだけでなく、断線の恐れも有る。
【０００５】
このように、この電気シリンダに電気信号を受けるワイヤーを固定させている状態で錠ケースに取り付けると、電気シリンダの自由回転によりワイヤーが捩れてしまう不都合を生じる。
【特許文献１】特開２００２−２７６２１５号公報
【特許文献２】米国特許第７２３１７９号明細書
【発明の開示】
【発明が解決しようとする課題】
【０００６】
この発明は、ドア扉の既存の錠ケースにねじ込み固定するねじ型接続金具とワイヤーを捩じれることなくモーチスロックに設置できる電気シリンダに接続できる接続プレートとから成る接続アダプタを提供することである。
【課題を解決するための手段】
【０００７】
この発明の課題は、ドア扉錠作動用電気シリンダ用接続手段において、カムバー４とカムバー押出プレート５とカムバーリターンばね６とをねじ型接続金具２に組み込んだねじ型接続金具アッセンブリＤ1 をドア扉の既存の錠ケースＣの雌ねじ部分Ｃ1 にねじ込み、ロックピン７とロックピンリターンばね８を接続プレート３に組み込んだ接続プレートアッセンブリＤ2 を接続プレート固定ボルト９により電気シリンダ１に固定し、この電気シリンダ１に固定した接続プレート３の下端部突起ａをねじ型接続金具２の角穴ｂ2 に挿入し、ドライバーＣ7 により錠ケースＣにねじＣ6 を締め込むことにより、ねじ込んだねじ型接続金具アッセンブリＤ1 の回転止めと、カム押出プレート５がねじＣ6 により押され、カムバー４が円弧運動し、ロックピン７を上昇させてねじ型接続金具２の角穴ｂ1 に引掛かり、電気シリンダ１を固定して、回転止めと固定を一度に行うことによって解決される。    
【発明の効果】
【０００８】
この発明の構成によると、特別な加工を行うことなしに、ドライバーＣ7 によりねじＣ6 を締め込み、電気シリンダ１をドア扉の既存の錠ケースＣに簡単且つ容易に取り付け取り外しができる。電線ワイヤの捩れや断線を生ずることがない。更に、既存錠のようにねじ込んだシリンダＣ2 の回転を止めるねじＣ6 を利用した構造にしたため、ねじ型接続金具アッセンブリＤ1 の回転止めと、電気シリンダ１の固定を同時に行うことができる。
【０００９】
請求項２に基づく発明によると、ねじ型接続金具アッセンブリＤ1 には、連動アダプタ１０をねじ型接続金具２の螺子切り筒段部２1 の背部２3 の穴２4 に通して、回転伝達するようにカム連動ギア１１をギア固定ねじ１２によって連動アダプタ１０に固定されていることよって、電気シリンダの作動によりデットボルトを作動させることができる。
【００１０】
請求項３に基づく発明によると、ねじ型接続金具アッセンブリＤ1 は螺子切り筒段部２1 と二つの角穴ｂ1 、ｂ2 を備える筒部２2 との二段筒状のねじ型接続金具２と、螺子切り筒段部２1 の背部２3 の穴２4 にギア固定ねじ１２により固定されるカム連動ギア１１と、筒部２2 の二つの長溝ｃに挿入されるカムバー押出プレート５と、頭部６1 がねじ型接続金具２の内部の突き出し部に設置され且つ足先６2 がカムレバー４の溝部４1 に係合した状態にねじ型接続金具２の内部に組み込まれているカムバーリターンばね６と、カムバーリターンばね６の足先６2 が溝部４1 に係合した状態でねじ型接続金具２の内部に収容する左右対称形のカムバー４とを包含する構成によって、左右のどちら開きのドアにも対応して、この電気シリンダ１を設置固定できる。
【発明を実施するための最良の形態】
【００１１】
［実施例］
【００１２】
図１は、この発明の接続アダプタを電気シリンダ１から取り外した分解斜視図である。      
【００１３】
この発明の接続アダプタは、ねじ型接続金具アッセンブリＤ1 と接続プレートアッセンブリＤ2 とから成る。このねじ型接続金具アッセンブリＤ1 は、カムバー４とカムバー押出プレート５とカムバーリターンばね６とをねじ型接続金具２に組み込んだアッセンブリである。また、この接続プレートアッセンブリＤ2 は、ロックピン７とロックピンリターンばね８を接続プレート３の組み込んだアッセンブリである。
【００１４】
図１には、この発明の接続アダプタと既存錠を動作させる構成（連動アダプタ１０、カム連動ギア１１、ギア固定ねじ１２）も記載されている。電気シリンダ１の回転操作により、カム連動ギア１１に伝達力を伝えて、既存錠の施錠解錠を行うものであり、連動アダプタ１０をねじ型接続金具２に通し、カム連動ギア１１をギア固定ねじ１２によって連動アダプタ１０に回転伝達するように、固定されているものである。
【００１５】
図２は、この発明の接続アダプタを分解して図１と反対の方向から見た分解斜視図である。ねじ型接続金具アッセンブリＤ1 では、連動アダプタ１０をねじ型接続金具２の螺子切り筒段部２1 の背部２3 の穴２4 に通して、回転伝達するようにカム連動ギア１１をギア固定ねじ１２によって連動アダプタ１０に固定されている。このねじ型接続金具アッセンブリＤ1 には、カムバー４とカムバー押出プレート５とカムバーリターンばね６とがねじ型接続金具２に組み込まれている。
【００１６】
図３は、この発明の接続アダプタの分解状態を上面図と側断面図にて示す。これら図２と図３を参照すると、このねじ型接続金具アッセンブリＤ1 には、カムバーリターンばね６の頭部６1 をねじ型接続金具２の内部の突き出し部に設置し、カムバーリターンばね６の足先６2 がカムレバー４の溝部４1 に係合した状態にねじ型接続金具２の内部に組み込まれている。また、この接続プレートアッセンブリＤ2 は、接続プレート３の上部溝部３1 にロックピン７とロックピンリターンばね８を設置して、接続プレート固定ねじ９によって電気シリンダ１に固定して取り付けられる。
【００１７】
図４乃至６は、既存のモーチスロックにこの発明の接続アダプタを取り付ける手順を開示する斜視図であり、そして図７乃至９は、既存のモーチスロックにこの発明の接続アダプタを取り付ける手順を開示する断面図である。図４はこの発明の接続アダプタのねじ型接続金具アッセンブリＤ1 を既存のモーチスロックの錠ケースＣにねじ込む前の状態を開示し、図５はねじ型接続金具アッセンブリＤ1 をねじ込む後、電気シリンダ１の取り付ける前の状態を開示し、更に、図６は電気シリンダ１を取り付け後、ドライバーＣ7 によりねじＣ6 を締め込み、電気シリンダ１を固定する状態を開示する。
【００１８】
まず、既存のモーチスロックからシリンダＣ2 を取り外す。図４に示すように、取り外した錠ケースＣにこの発明のねじ型接続金具アッセンブリＤ1 をねじ込み、ロックピン７とロックピンリターンばね８を接続プレート３の組み込んだ接続プレートアッセンブリＤ2 をボルト９により電気シリンダ１に固定し、この電気シリンダ１に固定した接続プレート３の下端部突起ａ（図２）をねじ型接続金具２の角穴ｂ2 （図２）に挿入し（図８）、ドライバーＣ7 により錠ケースＣにねじＣ6 を締め込むことにより、ねじ込んだねじ型接続金具アッセンブリＤ1 の回転止めと、カム押出プレート５がねじＣ6 により押され、カムバー４が円弧運動し、ロックピン７を上昇させてねじ型接続金具２の角穴ｂ1 に引掛かり、電気シリンダ１を固定して、回転止めと固定を一度に行う（図９）。
【００１９】
図１０はこの発明のねじ型接続金具アッセンブリＤ1 の内部にカムバーリターンばね６とカムレバー４を組み込んだ内部を見た正面図である。ドライバーにより錠ケースにねじＣ6 を締め込むことにより、ねじ込んだねじ型接続金具アッセンブリＤ1 の回転止めと、カム押出プレート５がねじＣ6 により押され、カムバー４が円弧運動し、ロックピン７を上昇させてねじ型接続金具２の角穴ｂ1 に引掛かり、電気シリンダ１を固定して、回転止めと固定を一度に行うことができる。この図１０の矢印によりロック体の動きを示している。図１０ｂは図１０ａの扉と反対開きの扉にこの発明のねじ型接続金具アッセンブリＤ1 を取り付けた場合を開示する。
【００２０】
このように、ねじ型接続金具アッセンブリＤ1 の内部に組み込まれたカムバーリターンばね６とカムレバー４及びこのねじ型接続金具アッセンブリＤ1 の内部構造も対称形状となっている。この構成によって扉の開き方向に左右されない接続アッセンブリとなっている。
【００２１】
更に、図１０ｃ，ｄ，ｅは、ねじ型接続金具アッセンブリＤ1 にカムバーリターンばね６とカムレバー４を組み込み時の状態を示す正面図並びに組み込み後の正面図と側面断面図である。カムバーリターンばね６とカムレバー４は、図１０ｃに開示される状態の関係にてねじ型接続金具アッセンブリＤ1 の内部に組み込む。カムバーリターンばね６とカムレバー４はねじ型接続金具アッセンブリＤ1 の内部に組み込まれた後には、図１０ｄとｅに開示されるように、カムバーリターンばね６とカムレバー４は離脱しないようにねじ型接続金具に設けた突起ｄにより外れない。
【図面の簡単な説明】
【００２２】
【図１】この発明の接続アダプタを電気シリンダ１から取り外した分解斜視図である。
【図２】この発明の接続アダプタを分解して図１と反対の方向から見た分解斜視図である。
【図３】この発明の接続アダプタの分解状態を上面図と側断面図にて示す。
【図４】既存のモーチスロックの錠ケースＣにこの発明の接続アダプタのねじ型接続金具アッセンブリＤ1 をねじ込む前の状態を開示する斜視図である。
【図５】ねじ型接続金具アッセンブリＤ1 をねじ込む後、電気シリンダ１の取り付ける前の状態を開示する斜視図である。
【図６】電気シリンダ１を取り付け後、ドライバーＣ7 によりねじＣ6 を締め込み、電気シリンダ１を固定する状態を開示する斜視図である。
【図７】図４の状態を断面図で示す。
【図８】図５の状態を断面図で示す。
【図９】図６の状態を断面図で示す。
【図１０】ねじ型接続金具アッセンブリＤ1 の内部を見た正面図を示す。なお、図１０ｃ，ｄとｅは、ねじ型接続金具アッセンブリＤ1 にカムバーリターンばね６とカムレバー４を組み込む時の状態を示す正面図並びに組み込み後の正面図と側面断面図である。
【図１１】ねじ込み式取り付け既存のモーチスロックを示す。
【図１２】ねじ込み式取り付けする先行技術の電気シリンダを示す。
【符号の説明】
【００２３】
１．．．．電気シリンダ
２．．．．ねじ型接続金具
３．．．．接続プレート
４．．．．カムバー
５．．．．カムバー押出プレート
６．．．．カムバーリターンばね
７．．．．ロックピン
８．．．．ロックピンリターンばね
９．．．．接続プレート固定ねじ
１０．．．．連動アダプタ
１１．．．．カム連動ギア
１２．．．．ギア固定ねじ
Ｃ．．．．錠ケース
Ｃ7 ．．．ドライバ
ａ．．．．接続プレートの下端部突起
ｂ．．．．ねじ型接続金具の角穴
【図１】
2010144400.tif 000003
【図２】
2010144400.tif 000004
【図３】
2010144400.tif 000005
【図４】
2010144400.tif 000006
【図５】
2010144400.tif 000007
【図６】
2010144400.tif 000008
【図７】
2010144400.tif 000009
【図８】
2010144400.tif 000010
【図９】
2010144400.tif 000011
【図１０】
2010144400.tif 000012
【図１１】
2010144400.tif 000013
【図１２】
2010144400.tif 000014